(57)【要約】【課題】横風に釣り糸が流される状態であっても、釣り用リールのスプールに適切な状態で釣り糸を巻き取っていくことのできる釣り竿の釣り糸ガイド構造を提供する。【解決手段】釣り糸ガイド６を取り付けた穂先竿１と、リールシート３を取り付けた元竿３とを相対回転可能に取り付けるとともに、穂先竿１と元竿２との接続部位に、穂先竿１と元竿２との相対位置関係を変更可能でかつ変更した状態を保持可能な機構Ｃを設けてある。【選択図】図２
2009291115.tif 000002
【特許請求の範囲】
【請求項１】
釣り糸用挿通孔を備えた釣り糸ガイドとリールを装着するリールシートとを備え、釣り糸ガイドと前記リールとを、それらを取り付けている竿体の周方向における相対位置関係を変更可能に構成してある釣り竿。
【請求項２】
前記釣り糸ガイドを取り付けた竿先側竿体と、前記リールシートを取り付けた竿元側竿体とを相対回転可能に取り付けるとともに、前記竿先側竿体と前記竿元側竿体との接続部位に、前記竿先側竿体と前記竿元側竿体との相対位置関係を変更可能でかつ変更した状態を保持可能な機構を設けてある請求項１記載の釣り竿。
【発明の詳細な説明】
【技術分野】
【０００１】
本発明は、リールシートと釣り糸ガイドとを設けてある釣り竿に関する。
【背景技術】
【０００２】
釣り糸ガイドは、竿体の外周面に装着された状態で、固定されていた（特許文献１）。
【特許文献１】特開平１０−２３８４４号公報（段落〔００１２〕〔００１３〕，図１及び図２）
【発明の開示】
【発明が解決しようとする課題】
【０００３】
釣り用リールとして、レベルワインド機構を装着していないものを使用する場合に、横風が強く吹く状態では、リールシートに最も近い釣り糸ガイドからリールに到達するまでの釣り糸が横風を受けて一方に流される場合がある。また、潮の流れで釣り糸が一方に偏る場合や、釣り人の巻き取り体勢が不安定になる場合がある。そうすると、リールで巻き取って行く際に、釣り糸がスプールの一側部に偏って巻き取られることとなるので、左右に亘って同一レベルで巻き取られている場合に比べて、スプールから釣り糸を繰出す際に円滑に釣り糸が繰出されない虞があった。
【０００４】
本発明の目的は、横風に釣り糸が流される状態であっても、釣り用リールのスプールに適切な状態で釣り糸を巻き取っていくことのできる釣り竿を提供する点にある。
【課題を解決するための手段】
【０００５】
〔構成〕
請求項１に係る発明の特徴構成は、釣り糸用挿通孔を備えた釣り糸ガイドとリールを装着するリールシートとを備え、釣り糸ガイドと前記リールとを、それらを取り付けている竿体の周方向における相対位置関係を変更可能に構成してある点にあり、その作用効果は次の通りである。
【０００６】
〔作用〕
釣り糸ガイドの釣り糸挿通孔とリールシートとの、竿体の周方向における相対位置関係を変更することができる。これによって、横風等によって釣り糸が流される場合であっても、横風の吹いて来る風上側に釣り糸ガイドを偏位させることによって、リールに巻き取られる釣り糸を所定位置に誘導することができ、巻き取り状態を適正なものにできる。
【０００７】
〔効果〕
したがって、釣り糸挿通孔とリールシートとを、竿体の周方向における相対位置関係を変更するだけの構成を導入することによって、釣り用リールへの巻き取り操作を円滑に行えるようになった。
【０００８】
〔構成〕
請求項２に係る発明の特徴構成は、請求項１に係る発明において、前記釣り糸ガイドを取り付けた竿先側竿体と、前記リールシートを取り付けた竿元側竿体とを相対回転可能に取り付けるとともに、竿先側竿体と竿元側竿体との接続部位に、竿先側竿体と竿元側竿体との相対位置関係を変更可能でかつ変更した状態を保持可能な機構を設けてある点にあり、その作用効果は次の通りである。
【０００９】
〔作用効果〕
竿先側竿体と竿元側竿体との周方向での相対位置関係を変更して、釣り糸ガイドの釣り糸挿通孔とリールシートとの、竿体の周方向における相対位置関係を変更することができる。これによって、横風等によって釣り糸が流される場合であっても、横風の吹いて来る風上側に釣り糸ガイドを偏位させることによって、リールに巻き取られる釣り糸を所定位置に誘導することができ、巻き取り状態を適正なものにできる。
このように、竿先側竿体と竿元側竿体との相対位置関係を変更する構成によって、釣り糸ガイド又はリールシート等の個々のものを竿体の周方向に変更する構成を採る必要がなく、構造自体が複雑なものにならない。
【発明を実施するための最良の形態】
【００１０】
〔第１実施形態〕
バス釣り等に使用される釣り竿Ａについて説明する。図１に示すように、釣り竿Ａは、竿先側竿体としての穂先竿１と竿元側竿体としての元竿２とのツーピースタイプのものであり、穂先竿１の外周面に釣り糸ガイド６及び元竿２の外周面にリールシート３を取付け、リールシート３の先側に前グリップ部４とリールシート３の元側に後グリップ部５を装着して、構成してある。
【００１１】
リールシート３には、固定フード３Ａ、トリガー３Ｂとを一体形成したシートベース３Ｃ、及び、シートベース３Ｃのネジ部に螺着されたナット３Ｄと可動フード３Ｅとが備えられて、元竿２に装備されている。
リールシート３には、両軸リールＢが装着されており、この両軸リールＢには、機構の簡素化等を図ってレベルワインド機構が装備されていない。レベルワインド機構が装備されていないリールとしては、ジギング釣りに使用される両軸リール、チヌ釣り等に使用される片軸リール、バス釣り用リール、石鯛釣り用両軸リール、トローリングリール等がある。
レベルワインド機構が装備されていないことによって、横風等が強力に作用する場合には、釣り糸が流されて、リールに巻き取られる場合に、巻き取り量が一方側に偏ってしまうことがある。
そこで、これに対して、次のような対策を施してある。
【００１２】
釣り糸ガイド２を備えた穂先竿１とリールシート３を備えた元竿２とを次のように構成してある。図２に示すように、穂先竿１の竿元端部１Ａと元竿２の竿先端部２Ａとに亘って、穂先竿１と元竿２との相対位置関係を変更可能でかつ変更した状態を保持可能な機構Ｃを設けてある。
図２に示すように、前記機構Ｃは、穂先竿１の竿元端部１Ａに立設されている突起部１Ｂと、元竿２の竿先端部２Ａに凹入形成している係合凹部２Ｂとで構成してある。尚、図示してはいないが、穂先竿１と元竿２とを周方向において相対位置を変更する操作を行った場合であっても、その状態を維持する為に、穂先竿１の元竿２の先端部に内嵌合された部位に摩擦機構を設けている。
【００１３】
図２及び図３に示すように、突起部１Ｂは、穂先竿１の竿元端部１Ａの周方向１箇所において、竿軸芯に沿った方向に板材を立設して構成してある。係合凹部２Ｂは、元竿２の竿先端から元側に向けて切欠き部分が凹入形成してあり、切欠き部分の縁部に沿って段階的に係合段部２ｂが形成されている。係合段部２ｂは、基準となる前後向き軸線位置を中心にして左右に、軸線位置から離れる程竿先端に近づく状態に段階形成してある。
【００１４】
以上のような構成によって、穂先竿１と元竿２との相対位置関係を変更するには、図３（ａ）に示すように、穂先竿１と元竿２とを軸線方向に相対移動させた状態で周方向に相対回転させることによって、図３（ｂ）に示すように、所望の係合段部２ｂと突起部１Ｂとを係合させその状態を保持できる。
【００１５】
〔第２実施形態〕
ここでは、前記機構Ｃを構成する釣り糸ガイド６について説明する。図４に示すように、釣り糸ガイド６は、ガイド本体６Ａの上部に釣り糸挿通孔６ａを形成し、ガイド本体６Ａの下ボス部に穂先竿１の挿通孔を形成し、上下部を繋ぎ部で支持連結して、構成してある。下ボス部に形成されている挿通孔の縁部にスプライン孔部６ｂが形成してある。一方、穂先竿１の釣り糸ガイド６の装着部位に、肉盛りした取付ボス部１Ｄを形成し、取付ボス部１Ｄの外周面にスプライン突起部１ｄを形成してある。
スプライン孔部６ｂとスプライン突起部１ｄとで、釣り糸ガイド６の取付姿勢を変更可能でかつ変更した状態を保持可能な機構Ｃを構成する。
【００１６】
以上のような構成により、図４（ａ）に示すように、スプライン孔部６ｂをスプライン突起部１ｄに外嵌係合させると、図４（ｂ）に示すように、所定位置に釣り糸ガイド６を取り付け保持できる。釣り糸ガイド６をリールシート３に対して周方向に姿勢変更するには、図４（ａ）に示すように、一旦、釣り糸ガイド６を穂先側に抜き出して変更すべき姿勢に回転させて、再度、図４（ｂ）に示すように、スプライン孔部６ｂをスプライン突起部１ｄに外嵌係合させればよい。
【００１７】
〔別実施形態〕
（１）釣り糸ガイドとリールとの相対位置関係を変更可能でかつ変更した状態を保持可能な機構Ｃを構成するに、リールシート３を周方向に位置変更自在に構成することで対応してもよい。
（２）上記した構成では、ツーピースタイプの釣り竿に適用する形態を示したが、ワンピースタイプ、或いは、それ以上の本数の釣り竿に適用してもよい。
（３）釣り糸ガイド６を釣り竿の竿体に対して周方向に位置変更保持可能な機構Ｃを構成するに、複数個設けられる釣り糸ガイド６の全てに適用してもよい。
【図面の簡単な説明】
【００１８】
【図１】リールシートと釣り糸ガイドを装備した釣り竿を示す側面図
【図２】リールシートと釣り糸ガイドを装備した釣り竿を示す平面図
【図３】穂先竿と元竿との相対位置関係を変更可能でかつ変更した状態を保持可能な機構を示し、（ａ）変更すべく穂先竿を竿先側に引き出して、突起部を係合凹部より離間させた状態を示す平面図、（ｂ）変更後、突起部を係合凹部に再係合させた状態を示す平面図
【図４】（ａ）釣り糸ガイドを穂先竿の周方向に相対位置関係を変更可能でかつ変更した状態を保持可能な機構を施した状態を示す側面図、（ｂ）釣り糸ガイドを姿勢変更に構成した状態を示す縦断正面図
【符号の説明】
【００１９】
１      穂先竿（竿先側竿体）
１Ａ    竿元端部
１ｄ    スプライン突起部
２      元竿（竿元側竿体）
３      リールシート
６      釣り糸ガイド
６ｂ    スプライン孔部
Ｃ      竿先側竿体と竿元側竿体との相対位置関係を変更する機構
【図１】
2009291115.tif 000003
【図２】
2009291115.tif 000004
【図３】
2009291115.tif 000005
【図４】
2009291115.tif 000006